(57)【要約】【課題】飛沫などが洗面化粧台設置箇所近傍の壁面や床などを濡らしたり、汚したりする事態を、できる限り生じさせないようにする。【解決手段】両カーテンロッド１、１は、それぞれ、洗面化粧台の左右方向に沿った回動軸１１をもって、鉛直方向に沿った使用前位置から水平方向に沿ったカーテン体２を吊り下げ可能とする使用位置まで起伏動可能に組み付けられている。右側カーテンロッド１’は、使用位置において主ロッド部１３の他端部側において左側に向けて突き出す補助ロッド部１４とを、左側カーテンロッド１”は、使用位置において主ロッド部１３の他端部側において右側に向けて突き出す補助ロッド部１４とを備えている。平面視の状態において、使用位置にある両カーテンロッド１、１におけるカーテン体２が吊り下げられる箇所が、洗面化粧台における天板部１０２の外縁１０２ａ内に位置されている。【選択図】        図４
2004321475.tif 000002
【特許請求の範囲】
【請求項１】
洗面化粧台における天板部の上方に配されるミラー部を挟んだ右側に設置される右側カーテンロッドと、
このミラー部を挟んだ左側に設置される左側カーテンロッドと、
右側カーテンロッドに取り外し可能に吊り下げられるカーテン体と、
左側カーテンロッドに取り外し可能に吊り下げられるカーテン体とを備えており、
両カーテンロッドは、それぞれ、その上端部において、洗面化粧台の左右方向に沿った回動軸をもって、ほぼ鉛直方向に沿った使用前位置からほぼ水平方向に沿ったカーテン体を吊り下げ可能とする使用位置まで起伏動可能に組み付けられていると共に、
右側カーテンロッドは、一端部を前記回動軸による組み付け部として使用位置において前方に突き出す主ロッド部と、この使用位置においてこの主ロッド部の他端部側においてこの主ロッド部から左側に向けて突き出す補助ロッド部とを備えており、
左側カーテンロッドは、一端部を前記回動軸による組み付け部として使用位置において前方に突き出す主ロッド部と、この使用位置においてこの主ロッド部の他端部側においてこの主ロッド部から右側に向けて突き出す補助ロッド部とを備えており、
さらに、使用位置まで回動された両カーテンロッドのこの使用位置にある状態を維持する保持手段が備えられていると共に、
平面視の状態において、この使用位置にある両カーテンロッドにおけるカーテン体が吊り下げられる箇所が、洗面化粧台における天板部の外縁内に位置されていることを特徴とする洗面化粧台。
【請求項２】
カーテンロッドが強磁性材料によって構成されていると共に、カーテン体の上縁部に磁石体が備え付けられていることを特徴とする請求項１記載の洗面化粧台。
【請求項３】
カーテン体が使用位置にあるカーテンロッドから洗面化粧台の天板部までの間を側方から覆う長さを備えていると共に、このカーテン体の下縁部に磁石体又は強磁性材料よりなる被吸着体が備え付けられており、
さらに、洗面化粧台の天板部の内部に、カーテン体の下縁部に備え付けられた磁石体に吸着される磁石体、若しくは、カーテン体の下縁部に備え付けられた磁石体が吸着する強磁性材料よりなる被吸着体、又は、カーテン体の下縁部に備え付けられた被吸着体に吸着される磁石体が備えられていることを特徴とする請求項１又は請求項２記載の洗面化粧台。
【発明の詳細な説明】
【０００１】
【発明の属する技術分野】
この発明は、洗面化粧台の改良に関する。
【０００２】
【従来の技術】
洗面化粧台は、入浴を伴わないシャンプーにしばしば利用されている。また、ペットブームとマンションの普及化に伴って、洗面化粧台において犬猫などのペットの洗浄がしばしばなされるようになっている。
【０００３】
【発明が解決しようとする課題】
このようなシャンプーやペットの洗浄にあたっては、これに伴って、水などが周囲に飛び散り易いところである。とはいえ、洗面化粧台は本来、洗顔、歯磨き、化粧などに利用されることが予定されているため、こうした水などの飛び散りを阻止する構造を基本的には有していない。
【０００４】
そこでこの発明は、洗面化粧台を利用した犬猫などのペットの洗浄や、洗面化粧台を利用した人の頭髪のシャンプーや毛染めなどにおいて、こうした洗浄や洗髪などに伴って生じる飛沫などが洗面化粧台設置箇所近傍の壁面や床などを濡らしたり、汚したりする事態を、できる限り生じさせないようにすることを主たる目的とする。
【０００５】
【課題を解決するための手段】
前記目的を達成するために、請求項１記載の発明にあっては、洗面化粧台が、以下の（１）〜（９）の構成を備えたものとした。
（１）洗面化粧台における天板部の上方に配されるミラー部を挟んだ右側に設置される右側カーテンロッドと、
（２）このミラー部を挟んだ左側に設置される左側カーテンロッドと、
（３）右側カーテンロッドに取り外し可能に吊り下げられるカーテン体と、
（４）左側カーテンロッドに取り外し可能に吊り下げられるカーテン体とを備えており、
（５）両カーテンロッドは、それぞれ、その上端部において、洗面化粧台の左右方向に沿った回動軸をもって、ほぼ鉛直方向に沿った使用前位置からほぼ水平方向に沿ったカーテン体を吊り下げ可能とする使用位置まで起伏動可能に組み付けられていると共に、
（６）右側カーテンロッドは、一端部を前記回動軸による組み付け部として使用位置において前方に突き出す主ロッド部と、この使用位置においてこの主ロッド部の他端部側においてこの主ロッド部から左側に向けて突き出す補助ロッド部とを備えており、
（７）左側カーテンロッドは、一端部を前記回動軸による組み付け部として使用位置において前方に突き出す主ロッド部と、この使用位置においてこの主ロッド部の他端部側においてこの主ロッド部から右側に向けて突き出す補助ロッド部とを備えており、
（８）さらに、使用位置まで回動された両カーテンロッドのこの使用位置にある状態を維持する保持手段が備えられていると共に、
（９）平面視の状態において、この使用位置にある両カーテンロッドにおけるカーテン体が吊り下げられる箇所が、洗面化粧台における天板部の外縁内に位置されている。
【０００６】
かかる構成によれば、
（１）両カーテンロッドを前記使用前位置に位置づけた状態においては、洗面化粧台としての外観性は何ら損なわれることがない。
（２）犬猫の洗浄や人の洗髪などが必要になった場合には、先ず、前記両カーテンロッドを使用前位置から上方に向けて回動操作させ、この両カーテンロッドがいずれも天板部の上方において、ミラー部側から前方に向けて突き出されるようにすることができる。
（３）このように使用位置まで回動された両カーテンロッドは、前記保持手段によって、この使用位置に安定的に位置づけられる。
（４）次いで、このように使用位置に位置づけられた両カーテンロッドを利用して、カーテン体を吊り下げることができる。
（５）両カーテンロッド体はいずれも、主ロッド部と補助ロッド部とを備えていることから、カーテン体は、主ロッド部に沿って天板部の上方の空間を、洗面化粧台の側方から覆うように吊り下げることができると共に、補助ロッド部に沿って、洗面化粧台の前方からこの上方の空間の一部を覆うように吊り下げることができる。すなわち、右側カーテンロッドを利用して、洗面化粧台の右側の側方とこの洗面化粧台の右側前方とをカーテン体によって覆うようにすることができると共に、左側カーテンロッドを利用して、洗面化粧台の左側の側方とこの洗面化粧台の左側前方とをカーテン体によって覆うようにすることができる。つまり、右側カーテンロッドに吊り下げられたカーテン体と左側カーテンロッドに吊り下げられたカーテン体との洗面化粧台の前方側に位置される端末間に、洗面化粧台の使用者が丁度入り込める間隔のみを開けさせるようにして、カーテン体を吊り下げることができる。これにより、二つのカーテン体と洗面化粧台の使用者とによって、洗面化粧台の天板部上の空間を洗面化粧台の使用に難を生じさせることなく、側方から覆うことができ、この使用に伴う飛沫などの外部への飛散などをできる限り防止することができる。
（６）また、かかる洗面化粧台にあっては、平面視の状態において、前記使用位置にある両カーテンロッドにおけるカーテン体が吊り下げられる箇所が、洗面化粧台における天板部の外縁内に位置されていることから、吊り下げられたカーテン体の内面に付着した飛沫などは天板部上に流れ落ち、洗面化粧台周囲の床などを濡らすこともない。
【０００７】
また、請求項２記載の発明にあっては、請求項１記載の洗面化粧台におけるカーテンロッドが強磁性材料によって構成されていると共に、カーテン体の上縁部に磁石体が備え付けられていることを特徴としている。
【０００８】
かかる構成によれば、前記使用位置に位置づけられたカーテンロッドに対し、ワンタッチでカーテン体を取り付け吊り下げることができ、また、その取り外しも容易になすことができる。
【０００９】
また、請求項３記載の発明にあっては、請求項１又は請求項２記載の洗面化粧台におけるカーテン体が使用位置にあるカーテンロッドから洗面化粧台の天板部までの間を側方から覆う長さを備えていると共に、このカーテン体の下縁部に磁石体又は強磁性材料よりなる被吸着体が備え付けられており、
さらに、洗面化粧台の天板部の内部に、カーテン体の下縁部に備え付けられた磁石体に吸着される磁石体、若しくは、カーテン体の下縁部に備え付けられた磁石体が吸着する強磁性材料よりなる被吸着体、又は、カーテン体の下縁部に備え付けられた被吸着体に吸着される磁石体が備えられていることを特徴としている。
【００１０】
かかる構成によれば、カーテンロッドに吊り下げられたカーテン体によって天板部の側方を隙間なく覆うことができると共に、このカーテン体の下縁部から外部に洗浄や洗髪の際の飛沫や水などが、できる限り跳ね出したり、漏れ出したりしないようにすることができる。また、吊り下げられたカーテン体を見栄えよく張り込むことができる。また、カーテンロッドからのカーテン体の取り外しに際しても何らの支障を生じさせることがない。
【００１１】
【発明の実施の形態】
以下、図１ないし図９に基づいて、この発明の典型的な実施の形態について説明する。
【００１２】
なお、ここで図１は、カーテンロッド１を使用前位置に位置づけさせた洗面化粧台の様子を、図２は、カーテンロッド１を使用位置に位置づけさせた洗面化粧台の様子を、図３は、図２の状態からカーテンロッド１に吊されるカーテン体２の構成を理解しやすいように、カーテンロッド１と分離して示しており、また、図４は、カーテン体２を吊り下げた洗面化粧台の様子を示している。また、図５ないし図７は、使用位置にあるカーテンロッド１のこの位置にある状態を維持する保持手段３として、ガススプリングステー３０を用いた場合の例を示しており、また、図８および図９は、カーテン体２の上縁部２０および下縁部２３に磁石体２２、２５を備え付けさせた例を示したものである。
【００１３】
この実施の形態にかかる洗面化粧台は、洗面化粧台を利用した犬猫などのペットの洗浄や、洗面化粧台を利用した人の頭髪のシャンプーや毛染めなどにおいて、こうした洗浄や洗髪などに伴って生じる飛沫などが洗面化粧台設置箇所近傍の壁面や床などを濡らしたり、汚したりする事態を、できる限り生じさせない機能を備えたものである。
【００１４】
洗面化粧台としては、典型的には、洗面ボールと天板部とを上部に備え、下部に収納空間などを持ったベースユニットと、このベースユニットの上方に設置されるミラーキャビネットを備えたタイプのものや、ベースユニットの上方にある壁面にミラーを設置させたタイプのものなどが予定される。
【００１５】
図示の例にあっては、かかる洗面化粧台は、洗面ボール１０１と天板部１０２とを上部に備えたベースユニット１００と、ミラー部１１１を前面に備えたミラーキャビネット１１０とから構成されるものとなっている。
【００１６】
かかる洗面化粧台は、
（１）洗面化粧台における天板部１０２の上方に配されるミラー部１１１を挟んだ右側に設置される右側カーテンロッド１’と、
（２）このミラー部１１１を挟んだ左側に設置される左側カーテンロッド１”と、
（３）右側カーテンロッド１’に取り外し可能に吊り下げられるカーテン体２と、
（４）左側カーテンロッド１”に取り外し可能に吊り下げられるカーテン体２とを備えている。
【００１７】
かかる両カーテンロッド１、１、つまり、右側カーテンロッド１’と左側カーテンロッド１”はそれぞれ、その上端部１０において、洗面化粧台の左右方向に沿った回動軸１１をもって、ほぼ鉛直方向に沿った使用前位置からほぼ水平方向に沿ったカーテン体２を吊り下げ可能とする使用位置まで起伏動可能に組み付けられている。
【００１８】
図示の例にあっては、かかる右側カーテンロッド１’は、その上端部１０を前記回動軸１１をもってミラーキャビネット１１０の前面の右上隅に回動可能に組み付けさせており、使用前位置においては、このミラーキャビネット１１０の前面におけるミラー部１１１の右縁部に沿って、鉛直方向に沿って配されるようになっている。具体的には、図示の例では、ミラー部１１１の右縁部とミラーキャビネット１１０の前面におけるこのミラーキャビネット１１０の右側面と接し合う箇所との間に、右側カーテンロッド１’の幅分の隙間１１２（図２においてその箇所を矢印で示すが同図では隠れている。）が形成されており、使用前位置にある右側カーテンロッド１’は、この隙間１１２に納まるようになっている。（図１）
【００１９】
また、図示の例にあっては、かかる左側カーテンロッド１”は、その上端部１０を前記回動軸１１をもってミラーキャビネット１１０の前面の左上隅に回動可能に組み付けさせており、使用前位置においては、このミラーキャビネット１１０の前面におけるミラー部１１１の左縁部に沿って、鉛直方向に沿って配されるようになっている。具体的には、図示の例では、ミラー部１１１の左縁部とミラーキャビネット１１０の前面におけるこのミラーキャビネット１１０の左側面と接し合う箇所との間に、左側カーテンロッド１”の幅分の隙間１１２が形成されており、使用前位置にある左側カーテンロッド１”は、この隙間１１２に納まるようになっている。（図１）
【００２０】
また、図示の例にあっては、両カーテンロッド１、１共に、使用前位置においては、その下端部１２を、ミラーキャビネット１１０におけるミラー部１１１の下端とほぼ同じレベルに位置させるようになっている。（図１）
【００２１】
また、右側カーテンロッド１’は、一端部を前記回動軸１１による組み付け部として使用位置において前方に突き出す主ロッド部１３と、この使用位置においてこの主ロッド部１３の他端部側においてこの主ロッド部１３から左側に向けて突き出す補助ロッド部１４とを備えている。
【００２２】
また、左側カーテンロッド１”も、一端部を前記回動軸１１による組み付け部として使用位置において前方に突き出す主ロッド部１３と、この使用位置においてこの主ロッド部１３の他端部側においてこの主ロッド部１３から右側に向けて突き出す補助ロッド部１４とを備えている。
【００２３】
図示の例にあっては、主ロッド部１３の他端部、つまり、前記下端部１２との間に補助ロッド部１４の長さ寸法分か、それよりもやや大きい間隔を開けた位置において、この主ロッド部１３に対し補助ロッド部１４の一端部が両カーテンロッド１、１を使用位置に位置づけた状態において鉛直方向に軸線を配させる組み付け軸１５をもって組み付けられている。
【００２４】
図示の例にあっては、主ロッド部１３は、補助ロッド部１４を納める収納空間を持つように構成されている。また、右側カーテンロッド１’の主ロッド部１３にあっては、この収納空間に連通した開放部１３ａがその左側に、また、左側カーテンロッド１”の主ロッド部１３にあっては、この収納空間に連通した開放部１３ａがその右側に、それぞれ形成されている。
【００２５】
一方、補助ロッド部１４は、主ロッド部１３内に納められる太さを持つように構成されている。そして、図示の例では、前記使用前位置においては、補助ロッド部１４は主ロッド部１３内に納められ、かつ、前記使用位置において、前記組み付け軸１５を中心としてこの主ロッド部１３内から回動させて引き出せるようになっている。引き出し切られた補助ロッド部１４は、図示の例にあっては、主ロッド部１３の長さ方向に対しその長さ方向をほぼ直交する向きに位置づけるようになっている。（図２）もっとも、図示の例とは異なり、主ロッド部１３と補助ロッド部１４とを、補助ロッド部１４を可動させないようにして、一体的に組み付けるようにしておくこともできる。この場合には、例えば、前記使用前位置において、ミラーキャビネット１１０のミラー部１１１の下端部の下方に補助ロッド部１４が入り込むようにしておく。
【００２６】
また、かかる洗面化粧台は、前記使用位置まで回動された両カーテンロッド１、１のこの使用位置にある状態を維持する保持手段３を備えている。
【００２７】
図示の例にあっては、図２に示される両カーテンロッド１、１の使用位置にある状態がかかる保持手段３によって、解除可能に維持されるようになっている。この保持手段３としては、例えば、カーテンロッド１を使用前位置から使用位置に向けて回動操作させることに伴って掛合し合う突部及び凹部のいずれか一方をカーテンロッド１側に、他方をミラーキャビネット１１０ないしは壁側に設けておいたり、カーテンロッド１を使用前位置から使用位置に向けて回動操作させることに伴ってカーテンロッド１の基部側を弾性的に受け入れ保持するクランプ体をミラーキャビネット１１０ないしは壁側に設けておいたり、することにより構成することができる。また、かかる保持手段３は、図５ないし図７に示されるように、ガススプリングステー３０を用いることにより、構成することもできる。
【００２８】
そして、かかる洗面化粧台にあっては、平面視の状態において、前記使用位置にある両カーテンロッド１、１におけるカーテン体２が吊り下げられる箇所が、洗面化粧台における天板部１０２の外縁１０２ａ内に位置されている。
【００２９】
図示の例にあっては、右側カーテンロッド１’にあっては、主ロッド部１３の基部から補助ロッド部１４の回動組み付け箇所までの間にある左側に向けられた側面１３ｂと、引き出された補助ロッド部１４のミラー部１１１の側に向けられた側面１４ａとが、カーテン体２が吊り下げられる箇所となっている。
【００３０】
また、図示の例にあっては、左側カーテンロッド１”にあっては、主ロッド部１３の基部から補助ロッド部１４の回動組み付け箇所までの間にある右側に向けられた側面１３ｂと、引き出された補助ロッド部１４のミラー部１１１の側に向けられた側面１４ａとが、カーテン体２が吊り下げられる箇所となっている。
【００３１】
この実施の形態にかかる洗面化粧台は、以上の構成を備えていることから、
（１）両カーテンロッド１、１を前記使用前位置に位置づけた状態においては、洗面化粧台としての外観性は何ら損なわれることがない。（図１）後述するカーテンロッド１へのカーテン体２の吊り下げ使用後は、このカーテンロッド１からカーテン体２を取り外した後、再び、この使用前位置への復帰をなすことができる。
（２）犬猫の洗浄や人の洗髪などが必要になった場合には、先ず、前記両カーテンロッド１、１を使用前位置から上方に向けて回動操作させ、この両カーテンロッド１、１がいずれも天板部１０２の上方において、ミラー部１１１側から前方に向けて突き出されるようにすることができる。（図２）
（３）このように使用位置まで回動された両カーテンロッド１、１は、前記保持手段３によって、この使用位置に安定的に位置づけられる。
（４）次いで、このように使用位置に位置づけられた両カーテンロッド１、１を利用して、カーテン体２を吊り下げることができる。（図３から図４）
（５）両カーテンロッド１、１体はいずれも、主ロッド部１３と補助ロッド部１４とを備えていることから、カーテン体２は、主ロッド部１３に沿って天板部１０２の上方の空間を、洗面化粧台の側方から覆うように吊り下げることができると共に、補助ロッド部１４に沿って、洗面化粧台の前方からこの上方の空間の一部を覆うように吊り下げることができる。すなわち、右側カーテンロッド１’を利用して、洗面化粧台の右側の側方とこの洗面化粧台の右側前方とをカーテン体２によって覆うようにすることができると共に、左側カーテンロッド１”を利用して、洗面化粧台の左側の側方とこの洗面化粧台の左側前方とをカーテン体２によって覆うようにすることができる。（図４）つまり、右側カーテンロッド１’に吊り下げられたカーテン体２と左側カーテンロッド１”に吊り下げられたカーテン体２との洗面化粧台の前方側に位置される端末間に、洗面化粧台の使用者が丁度入り込める間隔ｙのみを開けさせるようにして、カーテン体２を吊り下げることができる。これにより、二つのカーテン体２と洗面化粧台の使用者とによって、洗面化粧台の天板部１０２上の空間を洗面化粧台の使用に難を生じさせることなく、側方から覆うことができ、この使用に伴う飛沫などの外部への飛散などをできる限り防止することができる。
（６）また、かかる洗面化粧台にあっては、平面視の状態において、（図４におけるｘ方向から洗面化粧台を視た状態）前記使用位置にある両カーテンロッド１、１におけるカーテン体２が吊り下げられる箇所１３ｂ、１４ａが、洗面化粧台における天板部１０２の外縁１０２ａ内に位置されていることから、吊り下げられたカーテン体２の内面に付着した飛沫などは天板部１０２上に流れ落ち、洗面化粧台周囲の床などを濡らすこともない。
【００３２】
図５ないし図７は、カーテンロッド１のより具体的な構成例の一例を示したものである。
【００３３】
図中符号４で示されるのは、主ロッド部１３とガススプリングステー３０とを取り付けるためのベースプレートである。
【００３４】
主ロッド部１３は、使用位置において、開放部を下方に向ける断面コ字状の棒状体をベースとして構成されている。かかる主ロッド部１３は使用前位置における上端部１０をもってベースプレート４の上端部４０に回動軸１１により回動可能に組み付けられている。ベースプレート４は、ミラーキャビネット１１０の前面に裏面を密着させた状態で、このミラーキャビネット１１０の前面に鉛直方向に沿って止着されている。
【００３５】
主ロッド部１３の使用前位置における下端部１２側であって、この主ロッド部１３における使用位置において他方のカーテンロッド１の側に向けられる側部（つまり、右側カーテンロッド１’であれば左側、左側カーテンロッド１”であれば右側）には、この下端部１２との間に補助ロッド部１４の長さ寸法よりもやや大きい間隔を開けた割欠き部１３ｃが形成されており、この割欠き部１３ｃを通じて補助ロッド部１４が主ロッド部１３内より引き出せるようになっている。
【００３６】
補助ロッド部１４は、主ロッド部１３を構成する棒状体の内径よりも外径を小さくする中空の棒状体として構成されている。そして、図示の例にあっては、この補助ロッド部１４は、使用位置において鉛直方向に配される組み付け軸１５をもって、その一端部を、主ロッド部１３における前記割欠き部１３ｃの終了位置近傍において、主ロッド部１３に回動可能に組み付けられている。補助ロッド部１４は、引き出し前の状態においては主ロッド部１３の長さ方向にその長さ方向を揃えるようにしてこの主ロッド部１３内に納められ、この状態から、前記割欠き部１３ｃを通じて、主ロッド部１３の長さ方向にその長さ方向をほぼ直交させる位置まで引き出せるようになっている。
【００３７】
ガススプリングステー３０は、シリンダ体とプランジャロッド体とを備えたリフトアップ手段の一例であり、シリンダ体３１とプランジャロッド体３２とを有している。図示の例では、シリンダ体３１が上方に、プランジャロッド体３２が下方に配されるようにしてある。シリンダ体３１は、その上端を、主ロッド部１３におけるこの主ロッド部１３の上端部１０との間にやや間隔を開けた位置において、水平軸３１ａをもって回動可能に組み付けられている。また、プランジャロッド体３２は、その突き出し端をベースプレート４の下端側に、水平軸３２ａをもって回動可能に組み付けられている。また、このガススプリングステー３０は、カーテンロッド１の使用前位置において、断面コ字状をなす主ロッド部１３の開放部を通じてこの主ロッド部１３の内部に納められるようになっている。
【００３８】
カーテンロッド１の使用前位置においては、ガススプリングステー３０におけるガス圧によるプランジャロッド体３２の突き出し移動は阻止されている。カーテンロッド１を使用位置に向けて回動操作すると、前記シリンダ体３１の上端とプランジャロッド体３２の突き出し端との間の鉛直方向の間隔が広がることから、プランジャロッド体３２の突き出し移動が許容される。これにより、カーテンロッド１は、前記回動操作を開始すると同時に、ガススプリングステー３０によっていわば自動的に前記使用位置までリフトアップされる。図示の例では、使用位置において、主ロッド部１３の上端部１０の内面１３ｄがベースプレート４４の上端部４０の外面４１に突き当たるようになっており、この突き当たり位置より上方にはカーテンロッド１は回動されないようになっている。カーテンロッド１の使用位置にある状態はガススプリングステー３０のガス圧によって安定的に維持される。使用位置にあるカーテンロッド１は、このガススプリングステー３０のガス圧に抗する力で、このカーテンロッド１を使用前位置に向けて回動させることにより、使用前位置に簡単に戻すことができる。
【００３９】
カーテンロッド１に対するカーテン体２の取り外し可能な状態での取り付けは、これらの一方にフックを他方にこのフックの引っ掛け箇所を設けたり、これらの一方に雌雄をなす面状ファスナーの一方を、こららの他方に雌雄をなす面状ファスナーの他方を設けたりすることにより、確保することができる。
【００４０】
図８及び図９に示される例では、カーテンロッド１を強磁性材料によって構成させると共に、カーテン体２の上縁部２０に磁石体２２を備え付けらるようにしている。
【００４１】
具体的には、カーテンロッド１を磁石が吸着可能な金属材料により構成し、また、カーテン体２の上縁部２０に形成させた折り返し部２１内に、永久磁石からなる磁石体２２を入れ込ませるようにしている。（図９）磁石体２２は、カーテン体２の上縁部２０に間隔を開けて複数個入れ込まれる。
【００４２】
このようにした場合、前記使用位置に位置づけられたカーテンロッド１に対し、ワンタッチでカーテン体２を取り付け吊り下げることができ、また、その取り外しも容易になすことができる。
【００４３】
また、図示の例では、カーテン体２が使用位置にある両カーテンロッド１、１から洗面化粧台の天板部１０２までの間を側方から覆う長さを備えている。
【００４４】
また、このカーテン体２の下縁部２３に磁石体又は強磁性材料よりなる被吸着体が備え付けられており、
さらに、洗面化粧台の天板部１０２の内部に、カーテン体２の下縁部２３に備え付けられた磁石体に吸着される磁石体、若しくは、カーテン体２の下縁部２３に備え付けられた磁石体が吸着する強磁性材料よりなる被吸着体、又は、カーテン体２の下縁部２３に備え付けられた被吸着体に吸着される磁石体が備えられている。
【００４５】
具体的には、図示の例にあっては、カーテン体２の下縁部２３に形成させた折り返し部２４内に、さらに、永久磁石からなる磁石体２５を入れ込ませるようにしている。（図９）磁石体２５は、カーテン体２の下縁部２３に間隔を開けて複数個入れ込まれる。それと共に、天板部１０２における、使用位置に位置づけられたカーテンロッド１に吊り下げられるカーテン体２の下縁部２３が位置される箇所の内部に、カーテン体２の下縁部２３に備え付けられた磁石体２５に吸着される強磁性材料よりなるプレート状の被吸着体１０２ｂが納められている。（図９）
【００４６】
図示の例にあっては、天板部１０２を構成する化粧板１０２ｃの裏打ち板１０２ｄに開放部を上方に向けた凹部１０２ｅを設け、この凹部１０２ｅ内に被吸着体１０２ｂを納めさせた後に、この裏打ち板１０２ｄ上に化粧板１０２ｃを張り込むようにして、天板部１０２を構成させている。
【００４７】
このようにした場合、カーテンロッド１に吊り下げられたカーテン体２によって天板部１０２の側方を隙間なく覆うことができると共に、このカーテン体２の下縁部２３から外部に洗浄や洗髪の際の飛沫や水などが、できる限り跳ね出したり、漏れ出したりしないようにすることができる。また、吊り下げられたカーテン体２を見栄えよく張り込むことができる。また、カーテンロッド１からのカーテン体２の取り外しに際しても何らの支障を生じさせることがない。
【００４８】
カーテン体２としては、典型的には、水などを弾く、合成樹脂製のシートや、合成繊維製のシートなどが予定される。
【００４９】
【発明の効果】
この発明にかかる洗面化粧台によれば、洗面化粧台を利用した犬猫などのペットの洗浄や、洗面化粧台を利用した人の頭髪のシャンプーや毛染めなどにおいて、こうした洗浄や洗髪などに伴って生じる飛沫などが洗面化粧台設置箇所近傍の壁面や床などを濡らしたり、汚したりする事態を、できる限り生じさせないようにすることができる。
【図面の簡単な説明】
【図１】洗面化粧台の斜視構成図
【図２】洗面化粧台の斜視構成図
【図３】洗面化粧台の斜視構成図
【図４】洗面化粧台の斜視構成図
【図５】洗面化粧台の要部側面図（カーテンロッド１が使用前位置にある状態）
【図６】洗面化粧台の要部側面図（カーテンロッド１が使用位置にある状態）
【図７】洗面化粧台の要部平面図（カーテンロッド１が使用位置にある状態）
【図８】カーテン体２に磁石体を備えさせている洗面化粧台の斜視構成図
【図９】同要部断面構成図（カーテン体２を吊り下げさせた状態）
【符号の説明】
１０２  天板部
１１１  ミラー部
１  カーテンロッド
１’  右側カーテンロッド
１”  左側カーテンロッド
１０  上端部
１１  回動軸
１３  主ロッド部
１４  補助ロッド部
２  カーテン体
３  保持手段
【図１】
2004321475.tif 000003
【図２】
2004321475.tif 000004
【図３】
2004321475.tif 000005
【図４】
2004321475.tif 000006
【図５】
2004321475.tif 000007
【図６】
2004321475.tif 000008
【図７】
2004321475.tif 000009
【図８】
2004321475.tif 000010
【図９】
2004321475.tif 000011